(57)【要約】【課題】ラックを構成する部材の位置換えが行えるようにし、一つのラックで複数のデザインが得られるようにする。【解決手段】一方の縦長面板３の連結手段５の並び列と他方の縦長面板４の連結手段５の並び列とを、二枚の縦長面板の間を中心線にして線対称の位置にし、かつ二枚の縦長面板の間でのラック高さ方向中央を中心点として点対称の位置にして、ラック棚ａに対するラック高さ方向に正置した棚支持部２による支持と天地逆の倒置した棚支持部２による支持とを可能にした構成とした。【選択図】  図１
0003111203.tif 000002
【実用新案登録請求の範囲】
【請求項１】
上下複数段配置のラック棚をラック間口方向に対向して支持する一対の棚支持部からなり、
前記棚支持部それぞれは、ラック内方側の面にラック棚と連結可能な連結手段をラック高さ方向に一定間隔で配置してラック棚のラック奥行幅に対応した幅とした二枚の縦長面板を、ラック内方側の面が対向する折り重ねを可能にして接続してなり、一方の縦長面板の連結手段の並び列とこの一方の縦長面板に接続している他方の縦長面板の連結手段の並び列とは、二枚の縦長面板の間を中心線にして線対称の位置にあり、かつ二枚の縦長面板の間でのラック高さ方向中央を中心点として点対称の位置にあり、
ラック棚に対するラック高さ方向に正置した棚支持部による支持と天地逆の倒置した棚支持部による支持とを可能にした構成としたことを特徴とするラック棚支持装置。
【請求項２】
上記棚支持部それぞれにおける一方の縦長面板には、水平方向に沿って開口して、フックなどの係止用具が着脱可能に差し入れ係止できる横長スリットが複数備え、該横長スリットそれぞれが、ラック棚配置可能部位の間に配置されている請求項１に記載のラック棚支持装置。
【考案の詳細な説明】
【技術分野】
【０００１】
本考案は、複数のラック棚を支持して本棚や収納棚などとして利用するラックを形成するためのラック棚支持装置に関するものである。
【背景技術】
【０００２】
従来、本棚や収納棚などとなるラックにあっては、ラック全体を偏平にすることを目的として、ラック棚をラック高さ方向に複数段にして支持する一対の側板それぞれを背板に回動可能に接続し、ラック棚を側板から外すとともに側板を背板側に折り重ねることができる構成が提案されている（例えば特許文献１参照）。
【特許文献１】実用新案登録第３０２７９１５号公報
【考案の開示】
【考案が解決しようとする課題】
【０００３】
ところでラックは比較的大きな家具の一つであり、一般居室の雰囲気を形作るものとしての役割を有している。このことから居室の雰囲気に調和したラックが購入に際して選択される。
しかしながら、一般居室で設置されるラックは上述した折り畳みができるタイプのものも含めてラック中の側板の位置や背板の位置が決定されているため、一つのラック自体ではデザインが固定的である。そして、居室の雰囲気を変更したような場合にラックのデザインがそぐわなくなることがあり、ラックを買い換えることも行われている。
このようなことから、ラックのデザインを使用者側で変更できて、一つのラックからバリエーションに富むデザインが得られるようにすることが求められていた。
そこで本考案は上記事情に鑑み、ラックを構成する部材の位置換えが行えるようにすることを課題とし、一つのラックで複数のデザインが得られるようにすることを目的とするものである。
【課題を解決するための手段】
【０００４】
本考案は上記課題を考慮してなされたもので、上下複数段配置のラック棚をラック間口方向に対向して支持する一対の棚支持部からなり、前記棚支持部それぞれは、ラック内方側の面にラック棚と連結可能な連結手段をラック高さ方向に一定間隔で配置してラック棚のラック奥行幅に対応した幅とした二枚の縦長面板を、ラック内方側の面が対向する折り重ねを可能にして接続してなり、一方の縦長面板の連結手段の並び列とこの一方の縦長面板に接続している他方の縦長面板の連結手段の並び列とは、二枚の縦長面板の間を中心線にして線対称の位置にあり、かつ二枚の縦長面板の間でのラック高さ方向中央を中心点として点対称の位置にあり、ラック棚に対するラック高さ方向に正置した棚支持部による支持と天地逆の倒置した棚支持部による支持とを可能にした構成としたことを特徴とするラック棚支持装置を提供して、上記課題を解消するものである。
そして、本考案において、上記棚支持部それぞれにおける一方の縦長面板には、水平方向に沿って開口して、フックなどの係止用具が着脱可能に差し入れ係止できる横長スリットが複数備え、該横長スリットそれぞれが、ラック棚配置可能部位の間に配置されているものとすることが可能である。
【考案の効果】
【０００５】
（請求項１の効果）
請求項１の考案においては、ラック棚に対するラック高さ方向に正置した棚支持部による支持と天地逆の倒置した棚支持部による支持とを可能にした構成としたので、二枚の縦長面板の色調やデザインを互いに異なるものとし、棚支持部を正置したり倒置したりすることで、ラックの外観が大きく変化するようになり、他の面板を用いることなく一つのラック自体でバリエーションに富んだデザインを形成できるなど、実用性に優れた効果を奏するものである。
（請求項２の効果）
請求項２の考案により、横長スリットを配した縦長面板に係止用具を介して各種の物品を掛け留めることができるようになり、棚支持部を有効利用できてラックの機能性が向上する。
【考案を実施するための最良の形態】
【０００６】
つぎに本考案を図示の実施の形態に基づいて詳細に説明する。
図中１はラックａにおけるラック棚支持装置で、ラック高さ方向に上下複数段配置にした複数のラック棚ｂをラック間口方向に対向して支持する一対の棚支持部２からなるものである。前記棚支持部２それぞれは図２に示されているようにラック背面側に位置する一方の縦長面板３とラック側面側に位置する他方の縦長面板４とを図示しないヒンジ装置を介して接続されたもので、両縦長面板３、４はともにラック高さ方向に亘って設けられている。そして前述したように両縦長面板３、４がヒンジ装置を介して接続されていることから、両者のラック内方側の面が対向するように折り重ねることができるとともに、ラック内方側の面が同一平面に揃うように開くことも可能とされている（図４、図５）。
【０００７】
上述したようにヒンジ装置を介して折り重ねと展開とが可能とされた棚支持部２それぞれをラック側面側からラック背面側にかけて直角とした状態で配置することで、以下のようにラック側板とラック背板とをその棚支持部２が形成しており、それぞれの一方の縦長面板３と他方の縦長面板４との位置を逆にすることでもラック側板とラック背板とを形成できるようにしている。この点について説明する。
まず、棚支持部２の上記一方の縦長面板３と他方の縦長面板４とのそれぞれはラック棚のラック奥行幅に対応した幅とされ、ラック正面で他方の縦長面板４の前部がラック棚ｂの前部とが揃うとともに、一方の縦長面板３をラック側面に配したときもその一方の縦長面板３の前部がラック棚ｂの前部と揃う幅寸法に設定されている。
また、実施の形態にあっては、一方の縦長面板３と他方の縦長面板４の前記幅寸法は、ラック棚ｂのラック間口方向でのラック棚長さ寸法の約１／２となっていて、対向配置された棚支持部２の一方の縦長面板３それぞれがラック背面側に位置することでラック背板を構成するようになる。そして、他方の縦長面板４それぞれがラック背面側に位置した場合でもラック背板を構成する。
【０００８】
上述したように、棚支持部２それぞれにおいてラック側面側やラック背面側に配置したときにラック正面側でラック棚ｂの前部と揃うように幅設定されている一方の縦長面板３と他方の縦長面板４とは、ともにラック棚ｂを支持するための構成を有していて、両縦長面板３、４のラック内方側の面にラック棚ｂと連結可能な連結手段５をラック高さ方向に一定間隔で配置している。この連結手段５は、突没する係合突起を備えた係合金具ｃをラック棚ｂが有していて、その係合金具ｃの係合突起を受けるように厚さ方向に穿設された係合穴からなるものであり、前記係合金具ｃを操作して係合突起を連結手段５に差し入れることでラック棚ｂを棚支持部２で支持できるようにしている。
そして、連結手段５は、図５に示すように一方の縦長面板３と他方の縦長面板４とにおいて両者の接続部とは反対側に沿っており、一方の縦長面板３の連結手段５と他方の縦長面板４の連結手段５との高さは揃っている。
さらに一方の縦長面板３の連結手段５が並んでなる並び列５ａと他方の縦長面板４の連結手段５が並んでなる５ｂ並び列とは、縦長面板３、４の間を中心線にして線対称の位置にあり、かつ縦長面板３、４の間でのラック高さ方向中央を中心点として点対称の位置にある。このため、棚支持部２をラック高さ方向に対して正置した場合も天地を逆にして倒置した場合も、ラック全体から見たときにラック棚ｂの配置可能部位となる部分に必ず連結手段５が存在するように設けられている。勿論ラック棚ｂにあってもこの連結手段５に対応する位置に上記係合金具ｃが配置されている。
これによって、ラックａは、ラック棚ｂに対するラック高さ方向に正置した棚支持部２による支持と天地逆の倒置した棚支持部２による支持とを可能にした構成を有するものとなり、例えば一方の縦長面板３と他方の縦長面板４とで表面の色調が互いに異なるものとしたり、縦長面板自体の素材が異なるものとすれば、棚支持部２を正置したときと倒置したときとでラック全体のデザインが大きく異なることとなる。即ち、ラックａのデザインバリエーションが増えることなる。図６と図７とに左右の棚支持部２それぞれを倒置した状態を示した。
なお、左右の棚支持部２をともに正置したり倒置したりする必要はなく、天地を逆にする棚支持部は使用者側で選択できるものである。
【０００９】
この棚支持部２にあってはさらに、一方の縦長面板３に、水平方向に沿って開口した横長スリット６がラック棚配置可能部位の間に配置されていて、他方の縦長面板４に対して大きく異なるデザインとしている。そして、前記横長スリット６はフックなどの係止用具が着脱可能に差し入れ係止できるものであり、係止用具をセットすることで一方の縦長面板３に各種の物品の掛け留め場所としての機能を発揮するようにし、これによってラックａの機能性が向上するようになる。
【００１０】
なお、ラック棚のラック間口方向の長さは実施の形態に限定されるものではなく、上述した例よりも長いものであってもよい。さらにラック棚配置可能な位置にラック手前側に伸びたテーブルトップを取り付けることも可能である。
【図面の簡単な説明】
【００１１】
【図１】本考案に係る棚支持装置の一例を使用したラックを正面から見た状態で示す説明図である。
【図２】ラックを上方から見た状態で示す説明図である。
【図３】ラックを側方から見た状態で示す説明図である。
【図４】一例における棚支持部での一方の縦長面板と他方の縦長面板との接合を示す説明図である。
【図５】一例における棚支持部を展開した状態を示す説明図である。
【図６】棚支持装置の一例での倒置した棚支持部を使用したラックを正面から見た状態で示す説明図である。
【図７】棚支持装置の一例での倒置した棚支持部を使用したラックを側方から見た状態で示す説明図である。
【符号の説明】
【００１２】
１…ラック棚支持装置
２…棚支持部
３…一方の縦長面板
４…他方の縦長面板
５…連結手段
６…横長スリット
ａ…ラック
ｂ…ラック棚
ｃ…係合金具
【図１】
0003111203.tif 000003
【図２】
0003111203.tif 000004
【図３】
0003111203.tif 000005
【図４】
0003111203.tif 000006
【図５】
0003111203.tif 000007
【図６】
0003111203.tif 000008
【図７】
0003111203.tif 000009
【手続補正書】
【提出日】平成17年3月11日(2005.3.11)
【手続補正２】
【補正対象書類名】明細書
【補正対象項目名】０００６
【補正方法】変更
【補正の内容】
【０００６】
つぎに本考案を図示の実施の形態に基づいて詳細に説明する。
図中１はラックａにおけるラック棚支持装置で、ラック高さ方向に上下複数段配置にした複数のラック棚ｂをラック間口方向に対向して支持する一対の棚支持部２からなるものである。前記棚支持部２それぞれは図２に示されているようにラック背面側に位置する一方の縦長面板３とラック側面側に位置する他方の縦長面板４とをヒンジ装置ｈを介して接続されたもので、両縦長面板３、４はともにラック高さ方向に亘って設けられている。そして前述したように両縦長面板３、４がヒンジ装置ｈを介して接続されていることから、両者のラック内方側の面が対向するように折り重ねることができるとともに、ラック内方側の面が同一平面に揃うように開くことも可能とされている（図４、図５）。
【手続補正３】
【補正対象書類名】明細書
【補正対象項目名】０００７
【補正方法】変更
【補正の内容】
【０００７】
上述したようにヒンジ装置ｈを介して折り重ねと展開とが可能とされた棚支持部２それぞれをラック側面側からラック背面側にかけて直角とした状態で配置することで、以下のようにラック側板とラック背板とをその棚支持部２が形成しており、それぞれの一方の縦長面板３と他方の縦長面板４との位置を逆にすることでもラック側板とラック背板とを形成できるようにしている。この点について説明する。
まず、棚支持部２の上記一方の縦長面板３と他方の縦長面板４とのそれぞれはラック棚のラック奥行幅に対応した幅とされ、ラック正面で他方の縦長面板４の前部がラック棚ｂの前部とが揃うとともに、一方の縦長面板３をラック側面に配したときもその一方の縦長面板３の前部がラック棚ｂの前部と揃う幅寸法に設定されている。
また、実施の形態にあっては、一方の縦長面板３と他方の縦長面板４の前記幅寸法は、ラック棚ｂのラック間口方向でのラック棚長さ寸法の約１／２となっていて、対向配置された棚支持部２の一方の縦長面板３それぞれがラック背面側に位置することでラック背板を構成するようになる。そして、他方の縦長面板４それぞれがラック背面側に位置した場合でもラック背板を構成する。